【手続補正書】
【提出日】平成24年12月10日(2012.12.10)
【手続補正１】
【補正対象書類名】特許請求の範囲
【補正対象項目名】全文
【補正方法】変更
【補正の内容】
【特許請求の範囲】
【請求項１】
集音手段を備える音声信号処理装置であって、
前記集音手段により得られる音声信号に含まれる前記装置周辺の風の影響による雑音成分のレベルを検出する検出手段と、
前記音声信号を音声信号のレベルに応じた増幅率で増幅させる調整手段とを有し、
前記調整手段は、前記音声信号のレベルが高くなると前記増幅率を下げ、音声信号のレベルが低くなると前記増幅率を上げ、
前記調整手段は、前記増幅率を上げる場合に、前記検出手段により検出された前記雑音成分のレベルが高いときほど、前記増幅率の変化速度を遅くすることを特徴とする音声信号処理装置。
【請求項２】
前記調整手段は、前記音声信号のレベルを検出して検出結果を出力する音声レベル検出手段と、前記音声レベル検出手段により出力された検出結果に応じて前記増幅率を決定する決定手段とを有し、
前記音声レベル検出手段は、前記音声信号のレベルが低くなる場合には、前記検出手段により検出された前記雑音成分のレベルが高いときほど、前記検出結果の変化速度が遅くなるようにすることを特徴とする請求項１に記載の音声信号処理装置。
【請求項３】
前記検出手段は、複数の前記集音手段により得られた音声信号に基づいて前記雑音成分のレベルを検出することを特徴とする請求項１または２に記載の音声信号処理装置。
【請求項４】
前記調整手段は、前記音声信号のレベルを少なくとも１サンプル毎に検出して検出結果を出力する音声レベル検出手段と、前記音声レベル検出手段により出力された検出結果に応じて前記増幅率を決定する決定手段とを有し、
前記音声レベル検出手段は、前記音声信号のレベルが低くなる場合には、ｎ−１サンプル目の検出結果から所定の値を引いた値をｎサンプルの検出結果として出力し続け（ただしｎは１以上の整数）、
前記音声レベル検出手段は、前記検出手段により検出された前記雑音成分のレベルが高いときほど、所定の値を小さくすることを特徴とする請求項１から３のいずれか１項に記載の音声信号処理装置。
【請求項５】
前記音声レベル検出手段は、前記検出手段により検出された前記雑音成分のレベルが低いときほど、所定の値を大きくすることを特徴とする請求項４に記載の音声信号処理装置。
【請求項６】
前記調整手段は、前記音声信号のレベルを少なくとも１サンプル毎に検出して検出結果を出力する音声レベル検出手段と、前記音声レベル検出手段により出力された検出結果に応じて前記増幅率を決定する決定手段とを有し、
前記音声レベル検出手段は、前記音声信号のレベルが下がる場合には、ｎ−１サンプル目の検出結果に１より小さい所定の値を乗じた値をｎサンプルの検出結果として出力し続け（ただしｎは１以上の整数）、
前記音声レベル検出手段は、前記検出手段により検出された前記雑音成分のレベルが高いときほど、所定の値を大きくすることを特徴とする請求項１から３のいずれか１項に記載の音声信号処理装置。
【請求項７】
前記音声レベル検出手段は、前記検出手段により検出された前記雑音成分のレベルが低いときほど、所定の値を小さくすることを特徴とする請求項６に記載の音声信号処理装置。
【請求項８】
前記音声信号処理装置は、携帯電話であることを特徴とする請求項１から６のいずれか１項に記載の音声信号処理装置。
【請求項９】
集音手段を備える音声信号処理装置の制御方法であって、
前記集音手段により得られる音声信号に含まれる前記装置周辺の風の影響による雑音成分のレベルを検出する検出ステップと、
前記音声信号を音声信号のレベルに応じた増幅率で増幅させる調整ステップとを有し、
前記調整ステップにおいて、前記音声信号のレベルが高くなると前記増幅率を下げ、音声信号のレベルが低くなると前記増幅率を上げ、
前記調整ステップにおいて、前記増幅率を上げる場合に、前記検出手段により検出された前記雑音成分のレベルが高いときほど、前記増幅率の変化速度を遅くすることを特徴とする音声信号処理装置の制御方法。
【請求項１０】
前記調整ステップは、
前記音声信号のレベルを検出して検出結果を出力する音声レベル検出ステップと、
前記音声レベル検出ステップの検出結果に応じて前記増幅率を決定する決定ステップとを含み、
前記音声レベル検出ステップは、前記音声信号のレベルが低くなる場合には、前記検出手段により検出された前記雑音成分のレベルが高いときほど、前記検出結果の変化速度が遅くなるようにすることを特徴とする請求項９に記載の音声信号処理装置の制御方法。
【請求項１１】
前記検出ステップにおいて、複数の前記集音手段により得られた音声信号に基づいて前記雑音成分のレベルを検出することを特徴とする請求項９または１０に記載の音声信号処理装置の制御方法。
【請求項１２】
前記調整ステップは、
前記音声信号のレベルを少なくとも１サンプル毎に検出して検出結果を出力する音声レベル検出ステップと、
前記音声レベル検出ステップの検出結果に応じて前記増幅率を決定する決定ステップとを有し、
前記音声レベル検出ステップは、前記音声信号のレベルが低くなる場合には、ｎ−１サンプル目の検出結果から所定の値を引いた値をｎサンプルの検出結果として出力し続け（ただしｎは１以上の整数）、
前記音声レベル検出ステップは、前記検出ステップで検出された前記雑音成分のレベルが高いときほど、所定の値を小さくすることを特徴とする請求項９から１１のいずれか１項に記載の音声信号処理装置の制御方法。
【請求項１３】
前記音声レベル検出ステップにおいて、前記検出ステップで検出された前記雑音成分のレベルが低いときほど、所定の値を大きくすることを特徴とする請求項１２に記載の音声信号処理装置の制御方法。
【請求項１４】
前記調整ステップは、
前記音声信号のレベルを少なくとも１サンプル毎に検出して検出結果を出力する音声レベル検出ステップと、
前記音声レベル検出ステップにより出力された検出結果に応じて前記増幅率を決定する決定ステップとを有し、
前記音声レベル検出ステップは、前記音声信号のレベルが下がる場合には、ｎ−１サンプル目の検出結果に１より小さい所定の値を乗じた値をｎサンプルの検出結果として出力し続け（ただしｎは１以上の整数）、
前記音声レベル検出ステップは、前記検出ステップにより検出された前記雑音成分のレベルが高いときほど、所定の値を大きくすることを特徴とする請求項９から１１のいずれか１項に記載の音声信号処理装置の制御方法。
【請求項１５】
前記音声レベル検出ステップは、前記検出手段により検出された前記雑音成分のレベルが低いときほど、所定の値を小さくすることを特徴とする請求項１４に記載の音声信号処理装置の制御方法。
【請求項１６】
前記音声信号処理装置は、携帯電話であることを特徴とする請求項９から１５のいずれか１項に記載の音声信号処理装置の制御方法。
【手続補正２】
【補正対象書類名】明細書
【補正対象項目名】発明の名称
【補正方法】変更
【補正の内容】
【発明の名称】音声信号処理装置、音声信号処理装置の制御方法
【手続補正３】
【補正対象書類名】明細書
【補正対象項目名】０００８
【補正方法】変更
【補正の内容】
【０００８】
本発明の音声処理装置は、かかる目的を達成するために、集音手段を備える音声信号処理装置であって、前記集音手段により得られる音声信号に含まれる前記装置周辺の風の影響による雑音成分のレベルを検出する検出手段と、前記音声信号を音声信号のレベルに応じた増幅率で増幅させる調整手段とを有し、前記調整手段は、前記音声信号のレベルが高くなると前記増幅率を下げ、音声信号のレベルが低くなると前記増幅率を上げ、前記調整手段は、前記増幅率を上げる場合に、前記検出手段により検出された前記雑音成分のレベルが高いときほど、前記増幅率の変化速度を遅くする構成とした。